(57)【要約】【課題】回線交換網に接続された端末同士がパケット交換網を介してビットストリームの送受信を行う際に、互いの端末情報を相互に伝達する。【解決手段】端末は３ＧＰＰ規格の３Ｇ−３２４Ｍ端末であり、ビットストリームはＩＴＵ−Ｔ勧告Ｈ．２２３であり、回線交換網からパケット交換網にビットストリームを転送するゲートウェイは、回線交換網から受信したＨ．２２３ビットストリームを所定の長さに分割し、ＵＤＰパケット化してパケット交換網に転送し、パケット交換網から回線交換網にビットストリームを転送するゲートウェイは、パケット交換網からＵＤＰパケット化されたＨ．２２３ビットストリームを受信し、このＵＤＰパケットから取り出したＨ．２２３ビットストリームを回線交換網に転送する。また、Ｈ．２２３ビットストリームをＭＵＸ−ＰＤＵ毎に分割することもできる。【選択図】  図１
2008085821.tif 000002
【特許請求の範囲】
【請求項１】
回線交換網からパケット交換網にビットストリームを転送するゲートウェイおよびパケット交換網から回線交換網にビットストリームを転送するゲートウェイをそれぞれ少なくとも１つずつ介して回線交換網にそれぞれ接続された端末同士がパケット交換網を経由してビットストリームの送受信を行う着信転送方法において、
前記端末は３ＧＰＰ規格の３Ｇ−３２４Ｍ端末であり、
前記ビットストリームはＩＴＵ−Ｔ勧告Ｈ．２２３であり、
回線交換網からパケット交換網にビットストリームを転送する前記ゲートウェイは、前記回線交換網から受信したＨ．２２３ビットストリームを所定の長さに分割し、ＵＤＰ(User Datagram Protocol)パケット化して前記パケット交換網に転送し、
パケット交換網から回線交換網にビットストリームを転送する前記ゲートウェイは、前記パケット交換網からＵＤＰパケット化されたＨ．２２３ビットストリームを受信し、このＵＤＰパケットから取り出したＨ．２２３ビットストリームを前記回線交換網に転送する
ことを特徴とする着信転送方法。
【請求項２】
前記所定の長さに分割することに代えて、Ｈ．２２３ビットストリームの構成単位であるＭＵＸ−ＰＤＵ(Multiplex-Protocol Data Unit) 毎に分割する請求項１記載の着信転送方法。
【請求項３】
前記分割した個々のＨ．２２３ビットストリームに対してそれぞれＲＴＰ(Real-time
Transport Protocol)ヘッダを付与する請求項１または２記載の着信転送方法。
【請求項４】
回線交換網からパケット交換網にビットストリームを転送するゲートウェイと、パケット交換網から回線交換網にビットストリームを転送するゲートウェイとを備え、
回線交換網に接続された端末は、このゲートウェイをそれぞれ少なくとも１つずつ介し、パケット交換網を経由して回線交換網に接続された端末との間でビットストリームの送受信を行う手段を備えた
着信転送システムにおいて、
前記端末は３ＧＰＰ規格の３Ｇ−３２４Ｍ端末であり、
前記ビットストリームはＩＴＵ−Ｔ勧告Ｈ．２２３であり、
前記ゲートウェイは、
前記回線交換網から受信したＨ．２２３ビットストリームを所定の長さに分割し、ＵＤＰパケット化して前記パケット交換網に転送する手段と、
前記パケット交換網からＵＤＰパケット化されたＨ．２２３ビットストリームを受信し、このＵＤＰパケットから取り出したＨ．２２３ビットストリームを前記回線交換網に転送する手段と
を備えたことを特徴とする着信転送システム。
【請求項５】
前記ゲートウェイは、前記所定の長さに分割することに代えて、Ｈ．２２３ビットストリームの構成単位であるＭＵＸ−ＰＤＵ毎に分割する手段を備えた請求項４記載の着信転送システム。
【請求項６】
前記ゲートウェイは、前記分割した個々のＨ．２２３ビットストリームに対してそれぞれＲＴＰヘッダを付与する手段を備えた請求項４または５記載の着信転送システム。
【請求項７】
回線交換網とパケット交換網との間でビットストリームを転送するゲートウェイにおいて、
前記回線交換網に接続された３ＧＰＰ規格の３Ｇ−３２４Ｍ端末から受信したＩＴＵ−Ｔ勧告のＨ．２２３ビットストリームを所定の長さに分割し、ＵＤＰパケット化して前記パケット交換網に転送する手段と、
前記パケット交換網からＵＤＰパケット化されたＨ．２２３ビットストリームを受信し、このＵＤＰパケットから取り出したＨ．２２３ビットストリームを前記回線交換網に転送する手段と
を備えたことを特徴とするゲートウェイ。
【請求項８】
前記所定の長さに分割することに代えて、Ｈ．２２３ビットストリームの構成単位であるＭＵＸ−ＰＤＵ毎に分割する手段を備えた請求項７記載のゲートウェイ。
【請求項９】
前記分割した個々のＨ．２２３ビットストリームに対してそれぞれＲＴＰヘッダを付与する手段を備えた請求項７または８記載のゲートウェイ。
【請求項１０】
汎用の情報処理装置にインストールすることにより、その汎用の情報処理装置に、請求項７ないし９のいずれかに記載のゲートウェイの機能に相応する機能を実現させるプログラム。
【発明の詳細な説明】
【技術分野】
【０００１】
本発明は、回線交換網からパケット交換網にビットストリームを転送するゲートウェイ、およびパケット交換網から回線交換網にビットストリームを転送するゲートウェイを介して、回線交換網に接続された端末同士がパケット交換網を経由してビットストリームの送受信を行う着信転送方法およびその着信転送システムに関する。
【背景技術】
【０００２】
近年、ＩＰネットワークを経由してパケットで音声および映像の符号化データを送受信する双方向通信システムが普及してきている。こうしたパケット交換網上のマルチメディア端末同士による通信システムだけでなく、回線交換網上でＴＶ電話を行うことが可能なマルチメディア端末も発売され、広く普及してきている。
【０００３】
パケット交換網上のマルチメディア端末と回線交換網上のマルチメディア端末とではプロトコルが異なるが、これらのプロトコルの差異を吸収するためのゲートウェイを導入することにより、パケット交換網上のマルチメディア端末と回線交換網上のマルチメディア端末との間でも、互いのプロトコルの差異を意識することなく通信を行うことが可能になっている。
【０００４】
ここで、発信元からの呼の着信を転送するネットワークサービス（着信転送）においては、このようにパケット交換網上のマルチメディア端末と回線交換網上のマルチメディア端末とが通信可能になると、回線交換網上のマルチメディア端末から発信してパケット交換網上のマルチメディア端末に着信した呼を回線交換網上の別のマルチメディア端末に転送するという転送方式が考えられる。
【０００５】
上記の回線交換網→パケット交換網→回線交換網の着信転送による接続方法の場合には、回線交換網からパケット交換網にビットストリームを転送するゲートウェイ、およびパケット交換網から回線交換網にビットストリームを転送するゲートウェイを介して、回線交換網に接続されたマルチメディア端末同士がパケット交換網を経由してビットストリームの送受信を行うことになる。
【０００６】
【特許文献１】再特ＷＯ２０／０１７６３７号公報
【特許文献２】特開２００３−２３０１１７号公報
【特許文献３】特開２００３−２９８６７６号公報
【特許文献４】特開２００４−２１４７５５号公報
【発明の開示】
【発明が解決しようとする課題】
【０００７】
しかしながら、回線交換網とパケット交換網との中継点に配置されたゲートウェイでは、回線交換網に接続されたマルチメディア端末から送信されたビットストリームを終端するため、一方の回線交換網上のマルチメディア端末に関する情報を他方の回線交換網上のマルチメディア端末に伝達することができない。
【０００８】
従来のシステム構成におけるＨ．２４５ネゴシエーションを図７を参照して説明する。ここでは３Ｇ−３２４Ｍ端末１から３Ｇ−３２４Ｍ端末７へのビットストリーム転送について説明する。
（１）回線交換網２上に接続された３Ｇ−３２４Ｍ端末１は、ゲートウェイ３００との間でＨ．２４５ネゴシエーションを実施する。このＨ．２４５ネゴシエーション実施の際、Ｈ．２２３多重分離部３０２では、回線交換網２を経由して３Ｇ−３２４Ｍ端末１から受信したＨ．２２３ビットストリームを分離することにより、Ｈ．２４５メッセージを取り出す。Ｈ．２４５処理部３０１では、Ｈ．２２３多重分離部３０２で取り出したＨ．２４５メッセージを解読する。
（２）ゲートウェイ３００は、Ｈ．２４５ネゴシエーション実施の後、回線交換網２を経由して３Ｇ−３２４Ｍ端末１から受信したＨ．２２３ビットストリームを分離することにより音声および映像ビットストリームを取り出し、ゲートウェイ５００に転送する。
（３）ゲートウェイ５００は、回線交換網６上に接続された３Ｇ−３２４Ｍ端末７との間で上記（１）に記述したようにＨ．２４５ネゴシエーションを実施する。Ｈ．２４５ネゴシエーション実施の後、パケット交換網４を経由してゲートウェイ３００から受信した音声および映像ビットストリームをＨ．２２３ビットストリーム上に多重することにより３Ｇ−３２４Ｍ端末７に転送する。
【０００９】
上記手順（２）では、ゲートウェイ３００、５００相互間におけるＨ．２４５ネゴシエーションは行われない。Ｈ．２４５ネゴシエーションでは、通信の相手同士が予め互いに、どのような能力（コーデック等）を持っているか、どのような多重化テーブルでＨ．２２３ビットストリームを多重するか、通信を行う際の音声または映像の符号化方式あるいは符号化情報（例えば、ＭＰＥＧ−４ビットストリームの符号化（ＤＣＩ:Decoder Configuration Information）情報）はどのようなものか、などについて情報交換を行うが、上記手順（２）の段階で、ゲートウェイ３００とゲートウェイ５００との間で、上記のような情報の伝達は行われない。これにより、３Ｇ−３２４Ｍ端末１と３Ｇ−３２４Ｍ端末７との間で、互いの端末情報の交換はできない。
【００１０】
したがって、回線交換網に接続された端末同士がパケット交換網を介してビットストリームの送受信を行うことは可能であっても、この端末同士は、予め相互に端末情報を何らかの方法によって別途取得する必要があり、これはユーザにとってきわめて煩わしいことである。また、予め相互に端末情報を取得する方法がなければ、実質的に、ビットストリームの送受信は出来ない。
【００１１】
本発明は、このような背景の下に行われたものであって、異なる回線交換網に接続された端末同士がパケット交換網を介してビットストリームの送受信を行う際に、互いの端末情報を相互に伝達可能な着信転送方法および着信転送システムを提供することを目的とする。
【課題を解決するための手段】
【００１２】
本発明は、回線交換網からパケット交換網にビットストリームを転送するゲートウェイおよびパケット交換網から回線交換網にビットストリームを転送するゲートウェイをそれぞれ少なくとも１つずつ介して回線交換網にそれぞれ接続された端末同士がパケット交換網を経由してビットストリームの送受信を行う着信転送方法である。
【００１３】
ここで、本発明の特徴とするところは、前記端末は３ＧＰＰ規格の３Ｇ−３２４Ｍ端末であり、前記ビットストリームはＩＴＵ−Ｔ勧告Ｈ．２２３であり、回線交換網からパケット交換網にビットストリームを転送する前記ゲートウェイは、前記回線交換網から受信したＨ．２２３ビットストリームを所定の長さに分割し、ＵＤＰ(User Datagram Protocol)パケット化して前記パケット交換網に転送し、パケット交換網から回線交換網にビットストリームを転送する前記ゲートウェイは、前記パケット交換網からＵＤＰパケット化されたＨ．２２３ビットストリームを受信し、このＵＤＰパケットから取り出したＨ．２２３ビットストリームを前記回線交換網に転送するところにある。
【００１４】
すなわち、本発明では、３Ｇ−３２４Ｍ端末とゲートウェイとの間でのＨ．２４５ネゴシエーションは行わず、ゲートウェイではＨ．２２３ビットストリームを分離あるいは多重することなくＵＤＰパケット化してそのまま転送することにより、３Ｇ−３２４Ｍ端末同士で直接Ｈ．２４５ネゴシエーションを行うことを特徴とする。
【００１５】
また、前記所定の長さに分割することに代えて、Ｈ．２２３ビットストリームの構成単位であるＭＵＸ−ＰＤＵ(Multiplex-Protocol Data Unit)毎に分割することもできる。
【００１６】
すなわち、Ｈ．２２３ビットストリームの構成単位であるＭＵＸ−ＰＤＵは可変長であるため、Ｈ．２２３ビットストリームを所定の長さで分割する場合には、一つのＭＵＸ−ＰＤＵが途中で分割される場合がある。そのようなことを回避するためには、ＭＵＸ−ＰＤＵ毎に分割することが望ましい。
【００１７】
さらに、前記分割した個々のＨ．２２３ビットストリームに対してそれぞれＲＴＰヘッダを付与することにすれば、ＲＴＰ(Real-time Transport Protocol)ヘッダを参照することにより、分割された個々のＨ．２２３ビットストリームの順序が逆転して相手のゲートウェイに到着した場合でもこれを補償することができる。
【００１８】
このような本発明の着信転送方法を実現した本発明の着信転送システムは、回線交換網からパケット交換網にビットストリームを転送するゲートウェイと、パケット交換網から回線交換網にビットストリームを転送するゲートウェイとを備え、回線交換網に接続された端末は、このゲートウェイをそれぞれ少なくとも１つずつ介し、パケット交換網を経由して異なる回線交換網に接続された端末との間でビットストリームの送受信を行う手段を備える。
【００１９】
ここで、本発明の特徴とするところは、前記端末は３ＧＰＰ規格の３Ｇ−３２４Ｍ端末であり、前記ビットストリームはＩＴＵ−Ｔ勧告Ｈ．２２３であり、前記ゲートウェイは、前記回線交換網から受信したＨ．２２３ビットストリームを所定の長さに分割し、ＵＤＰパケット化して前記パケット交換網に転送する手段と、前記パケット交換網からＵＤＰパケット化されたＨ．２２３ビットストリームを受信し、このＵＤＰパケットから取り出したＨ．２２３ビットストリームを前記回線交換網に転送する手段とを備えたところにある。
【００２０】
また、前記ゲートウェイは、前記所定の長さに分割することに代えて、Ｈ．２２３ビットストリームの構成単位であるＭＵＸ−ＰＤＵ毎に分割する手段を備えることもできる。さらに、前記ゲートウェイは、前記分割した個々のＨ．２２３ビットストリームに対してそれぞれＲＴＰヘッダを付与する手段を備えることもできる。
【００２１】
また、本発明をゲートウェイの観点から観ることもできる。すなわち、本発明は、回線交換網とパケット交換網との間でビットストリームを転送するゲートウェイであって、本発明の特徴とするところは、前記回線交換網に接続された３ＧＰＰ規格の３Ｇ−３２４Ｍ端末から受信したＩＴＵ−Ｔ勧告のＨ．２２３ビットストリームを所定の長さに分割し、ＵＤＰパケット化して前記パケット交換網に転送する手段と、前記パケット交換網からＵＤＰパケット化されたＨ．２２３ビットストリームを受信し、このＵＤＰパケットから取り出したＨ．２２３ビットストリームを前記回線交換網に転送する手段とを備えたところにある。
【００２２】
また、前記所定の長さに分割することに代えて、Ｈ．２２３ビットストリームの構成単位であるＭＵＸ−ＰＤＵ毎に分割する手段を備えることもできる。さらに、前記分割した個々のＨ．２２３ビットストリームに対してそれぞれＲＴＰヘッダを付与する手段を備えることもできる。
【００２３】
また、本発明をプログラムの観点から観ることもできる。すなわち、本発明は、汎用の情報処理装置にインストールすることにより、その汎用の情報処理装置に、本発明のゲートウェイの機能に相応する機能を実現させるプログラムである。
【００２４】
本発明のプログラムは記録媒体に記録されることにより、前記汎用の情報処理装置は、この記録媒体を用いて本発明のプログラムをインストールすることができる。あるいは、本発明のプログラムを保持するサーバからネットワークを介して直接前記汎用の情報処理装置に本発明のプログラムをインストールすることもできる。
【００２５】
これにより、汎用の情報処理装置を用いて、本発明のゲートウェイを実現することができる。なお、本発明のプログラムは、汎用の情報処理装置によって直接実行可能なものだけでなく、ハードディスクなどにインストールすることによって実行可能となるものも含む。また、圧縮されたり、暗号化されたりしたものも含む。
【発明の効果】
【００２６】
本発明によれば、３Ｇ−３２４Ｍ端末同士でＨ．２４５ネゴシエーションを実施することにより、一方の３Ｇ−３２４Ｍ端末の端末情報を他方の３Ｇ−３２４Ｍ端末に伝達することを可能にする。また、本発明によれば、受信したパケットのＲＴＰヘッダのシーケンス番号を参照することにより、正常なパケットの順序に並び替えることも可能になる。
【発明を実施するための最良の形態】
【００２７】
以下、本発明を実施するための最良の形態について図面を参照して説明する。
【００２８】
図１は本発明の着信転送方法を含む着信転送システム全体を示すものである。ゲートウェイ３は回線交換網２とパケット交換網４とを接続する際の中継点に設置され、ゲートウェイ５はパケット交換網４と回線交換網６とを接続する際の中継点に配置され、回線交換網２に接続された３Ｇ−３２４Ｍ端末１と回線交換網６に接続された３Ｇ−３２４Ｍ端末７とがパケット交換網４を経由してＨ．２２３ビットストリームの送受信を行う。
【００２９】
（第一実施例）
本発明の第一実施例について、図１、図２および図３を参照しながら説明する。図２および図３は、第一実施例におけるゲートウェイ３および５の要部ブロック構成を示すものである。Ｈ．２２３ビットストリームの転送方向は、双方向に可能であるが、ここでは、説明を分かりやすくするために、３Ｇ−３２４Ｍ端末１から３Ｇ−３２４Ｍ端末７に向かう転送方向について説明する。
【００３０】
３Ｇ−３２４Ｍ端末１では、Ｈ．２４５ネゴシエーションのためのＨ．２４５メッセージをＨ．２２３ビットストリーム上に多重して送信する。
【００３１】
ゲートウェイ３のＨ．２２３ビットストリーム受信処理部１０は、回線交換網２からＨ．２４５メッセージが多重されたＨ．２２３ビットストリームを受信する。Ｈ．２２３ビットストリーム分割処理部１１は、Ｈ．２２３ビットストリーム受信処理部１０で受信したＨ．２２３ビットストリームを所定の長さ毎に分割する。Ｈ．２２３ビットストリームパケット化処理部１２は、Ｈ．２２３ビットストリーム分割処理部１１で分割したＨ．２２３ビットストリームをＵＤＰパケット化する。
【００３２】
Ｈ．２２３ビットストリーム分割処理部１１で分割したＨ．２２３ビットストリームに対してＨ．２２３ビットストリームパケット化処理部１２でＵＤＰ／ＩＰヘッダを付与してパケット化したものを、以後、Ｈ．２２３パケットと呼ぶことにする。
【００３３】
Ｈ．２２３パケット送信処理部１３は、Ｈ．２２３ビットストリームパケット化処理部１２でＵＤＰパケット化したＨ．２２３パケットをパケット交換網４に送信する。
【００３４】
ゲートウェイ５のＨ．２２３パケット受信処理部２０は、パケット交換網４からＨ．２２３パケットを受信する。Ｈ．２２３ビットストリーム抽出処理部２１は、Ｈ．２２３パケット受信処理部２０で受信したＨ．２２３パケットからＨ．２２３ビットストリームを取り出す。Ｈ．２２３ビットストリーム結合処理部２２は、Ｈ．２２３ビットストリーム抽出処理部２１で抽出したＨ．２２３ビットストリームを結合する。Ｈ．２２３ビットストリーム送信処理部２３は、Ｈ．２２３ビットストリーム結合処理部２２で結合したＨ．２２３ビットストリームを回線交換網６に送信する。
【００３５】
３Ｇ−３２４Ｍ端末７は、回線交換網６からＨ．２４５メッセージが多重されたＨ．２２３ビットストリームを受信し、Ｈ．２２３ビットストリームを分離することにより、３Ｇ−３２４Ｍ端末１から送信されたＨ．２４５メッセージを解読する。
【００３６】
ここまでは、３Ｇ−３２４Ｍ端末１から３Ｇ−３２４Ｍ端末７への方向に対するＨ．２２３ビットストリームの流れについて説明したが、実際には、３Ｇ−３２４Ｍ端末７から３Ｇ−３２４Ｍ端末１への方向に対してもＨ．２２３ビットストリームが転送され、Ｈ．２２３ビットストリーム上に多重されたＨ．２４５メッセージの交換を３Ｇ−３２４Ｍ端末１および７の間で相互に行うことにより、３Ｇ−３２４Ｍ端末１および７との間で直接Ｈ．２４５ネゴシエーションを実施することができる。
【００３７】
（第二実施例）
第二実施例について、図１、図２、図３および図４を参照しながら説明する。図４はＨ．２２３ビットストリームのＭＵＸ−ＰＤＵ毎の分割による効果を説明するための図である。第二実施例は、第一実施例と同様の方法およびシステムである。以下、第一実施例と共通する部分の説明は省略し、相違する部分についてのみ説明する。
【００３８】
Ｈ．２２３ビットストリーム分割処理部１１は、Ｈ．２２３ビットストリーム受信処理部１０で受信したＨ．２２３ビットストリームをＭＵＸ−ＰＤＵ毎に分割する。上記以外の処理については、第一実施例と同様である。
【００３９】
すなわち、Ｈ．２２３ビットストリームの構成単位であるＭＵＸ−ＰＤＵは可変長であるため、Ｈ．２２３ビットストリームを所定の長さで分割する場合には、一つのＭＵＸ−ＰＤＵが途中で分割される場合がある。
【００４０】
図４（ａ）の例では、ＭＵＸ−ＰＤＵ♯１全部とＭＵＸ−ＰＤＵ♯２の途中までが分割（１）となり、ＭＵＸ−ＰＤＵ♯２の途中からＭＵＸ−ＰＤＵ♯３の途中までが分割（２）となり、ＭＵＸ−ＰＤＵ♯３の残りの部分が分割（３）となっている。
【００４１】
このように分割された場合でも、これらの分割（１）〜（３）が欠落無く転送された場合には、転送先において、ＭＵＸ−ＰＤＵ♯１〜♯３を全て正常に分離することができるが、仮に、分割（１）が転送途中で欠落した場合には、ＭＵＸ−ＰＤＵ♯１およびＭＵＸ−ＰＤＵ♯２の双方ともに転送先で正常に分離できないことになる。同様に、分割（２）が転送途中で欠落した場合には、ＭＵＸ−ＰＤＵ♯２およびＭＵＸ−ＰＤＵ♯３の双方ともに転送先で正常に分離できないことになる。
【００４２】
そこで、図４（ｂ）に示すように、ＭＵＸ−ＰＤＵ毎に分割すれば、分割（１）〜（３）のいずれか一つが欠落した場合に複数のＭＵＸ−ＰＤＵが影響を受けることを回避でき、欠落したＭＵＸ−ＰＤＵ以外は正常に分離することができる。
【００４３】
（第三実施例）
第三実施例について、図１、図５および図６を参照しながら説明する。図５および図６は、第三実施例におけるゲートウェイ３および５の要部ブロック構成を示すものである。第三実施例は、第一実施例と同様の方法およびシステムである。以下、第一実施例と共通する部分の説明は省略し、相違する部分についてのみ説明する。
【００４４】
ＲＴＰヘッダ付与処理部３２は、Ｈ．２２３ビットストリーム分割処理部３１で分割したＨ．２２３ビットストリームにＲＴＰヘッダを付与する。回線交換網から受信したＨ．２２３ビットストリームの帯域は６４ｋｂｐｓであるため、ＲＴＰヘッダ付与処理部３２で付与するＲＴＰヘッダ内のタイムスタンプには、Ｈ．２２３ビットストリーム分割処理部３１で所定の長さ毎に分割したＨ．２２３ビットストリームの長さに相当する値を格納する。
【００４５】
ＲＴＰヘッダ解析処理部４１は、Ｈ．２２３パケット受信処理部４０で受信したＵＤＰパケットからＲＴＰヘッダを取り出し、取り出したこのＲＴＰヘッダ内のシーケンス番号を解析する。解析の結果、ＵＤＰパケットの到着順序の入れ替えを検出した場合は、正しい到着順序となるように受信したＵＤＰパケットを並び替える。上記以外の処理については、第一実施例と同様である。
【００４６】
（第四実施例）
第四実施例について、図１、図４、図５および図６を参照しながら説明する。第四実施例は、第三実施例と同様の方法およびシステムである。以下、第三実施例と共通する部分の説明は省略し、相違する部分についてのみ説明する。
【００４７】
Ｈ．２２３ビットストリーム分割処理部３１は、Ｈ．２２３ビットストリーム受信処理部３０で受信したＨ．２２３ビットストリームをＭＵＸ−ＰＤＵ毎に分割する。上記以外の処理については、第三実施例と同様である。また、Ｈ．２２３ビットストリームをＭＵＸ−ＰＤＵ毎に分割することの効果は、第二実施例において図４を参照して説明したとおりである。
【００４８】
なお、これまで説明した実施例では、ゲートウェイ３および５を１つずつ使用した構成について述べたが、本発明は、ゲートウェイ３および５を同一装置で実現することも可能である。また、ゲートウェイ３および５を複数個使用した多段接続の構成で実現することも可能である。
【００４９】
（第五実施例）
本実施例は、汎用の情報処理装置にインストールすることにより、その汎用の情報処理装置に、本実施例のゲートウェイ３および５の機能に相応する機能を実現させるプログラムとして実施することができる。このプログラムは、記録媒体に記録されて汎用の情報処理装置にインストールされ、あるいは通信回線を介して汎用の情報処理装置にインストールされることにより当該汎用の情報処理装置に、ゲートウェイ３および５のＨ．２２３ビットストリーム受信処理部１０、３０、Ｈ．２２３ビットストリーム分割処理部１１、３１、Ｈ．２２３ビットストリームパケット化処理部１２、３３、Ｈ．２２３パケット送信処理部１３、３４、Ｈ．２２３パケット受信処理部２０、４０、Ｈ．２２３ビットストリーム抽出処理部２１、４２、Ｈ．２２３ビットストリーム結合処理部２２、４３、Ｈ．２２３ビットストリーム送信処理部２３、４４、ＲＴＰヘッダ付与処理部３２、ＲＴＰヘッダ解析処理部４１にそれぞれ相応する機能を実現させることができる。汎用の情報処理装置は、例えば、汎用のＣＰＵである。
【産業上の利用可能性】
【００５０】
本発明によれば、回線交換網に接続された端末同士がパケット交換網を介してビットストリームの送受信を行う際に、互いの端末情報を相互に伝達可能であるため、ユーザは、途中のパケット交換網の存在を意識することなくビットストリームの送受信が可能になり、サービス品質が向上する。
【図面の簡単な説明】
【００５１】
【図１】本実施例の着信転送システムの全体構成図。
【図２】第一および第二実施例のゲートウェイの要部ブロック構成図。
【図３】第一および第二実施例のゲートウェイの要部ブロック構成図。
【図４】Ｈ．２２３ビットストリームのＭＵＸ−ＰＤＵ毎の分割による効果の説明図。
【図５】第三および第四実施例のゲートウェイの要部ブロック構成図。
【図６】第三および第四実施例のゲートウェイの要部ブロック構成図。
【図７】従来の着信転送システムの全体構成図。
【符号の説明】
【００５２】
１、７  ３Ｇ−３２４Ｍ端末
２、６  回線交換網
３、５、３００、５００  ゲートウェイ
４  パケット交換網
１０、３０  Ｈ．２２３ビットストリーム受信処理部
１１、３１  Ｈ．２２３ビットストリーム分割処理部
１２、３３  Ｈ．２２３ビットストリームパケット化処理部
１３、３４  Ｈ．２２３パケット送信処理部
２０、４０  Ｈ．２２３パケット受信処理部
２１、４２  Ｈ．２２３ビットストリーム抽出処理部
２２、４３  Ｈ．２２３ビットストリーム結合処理部
２３、４４  Ｈ．２２３ビットストリーム送信処理部
３２  ＲＴＰヘッダ付与処理部
４１  ＲＴＰヘッダ解析処理部
３０１、５０１  Ｈ．２４５処理部
３０２、５０２  Ｈ．２２３多重分離部
【図１】
2008085821.tif 000003
【図２】
2008085821.tif 000004
【図３】
2008085821.tif 000005
【図４】
2008085821.tif 000006
【図５】
2008085821.tif 000007
【図６】
2008085821.tif 000008
【図７】
2008085821.tif 000009